(57)【要約】【課題】  試し印刷に於いて、文書にページ数等のページ情報を含む場合であって、新たにページを追加、又は、削除するような変更が有った場合にも、印刷情報の再転送量を最低限度に抑えること。【解決手段】  受信部１は印刷情報を受信し、試し印刷判定部２は、受信部１が受信した印刷情報に試し印刷が指定されている否かを判定し、判定結果が試し印刷が指定されていると、展開書込・読出部３は、印刷情報に含まれている識別情報と、印刷データと、ページ情報とを所定の部数分、各部数毎に所定の記憶部に展開して格納し、変更要求受入部５は、ページ情報の追加、又は削除、又は修正の要求を受け入れて、編集部６は、変更要求受入部５の受け入れ結果に基づいて、印刷データと、ページ情報とを識別情報毎に再編集する。【選択図】        図１
2006231598.tif 000002
【特許請求の範囲】
【請求項１】
印刷情報を受信する受信部と、
前記受信部が受信した印刷情報に試し印刷が指定されていると、前記印刷情報に含まれている識別情報と、印刷データと、ページ情報とを格納する格納部と、
前記ページ情報の追加、又は削除、又は修正の要求を受け入れる変更要求受入部と、
前記変更要求受入部の受け入れ結果に基づいて、前記印刷データと、前記ページ情報とを前記識別情報毎に編集する編集部とを備えることを特徴とする印刷装置。
【請求項２】
前記編集部は、前記変更要求受入部の受け入れ結果が、所定ページ目に所望ページ数の追加であると、前記所定の記憶部が格納する印刷情報における、前記所定ページ目以降のページ情報に前記所望ページ数を加算し、前記所望ページ数の印刷データを前記受信部から受け入れて前記識別情報毎に編集することを特徴とする請求項１に記載の印刷装置。
【請求項３】
前記編集部は、前記変更要求受入部の受け入れ結果が、所定ページ目から所望ページ数の削除であると、前記所定の記憶部が格納する印刷情報における、前記所定ページ目以降のページ情報から前記所望ページ数を減算し、前記所定ページ目から所望ページ数の印刷データを削除して前記識別情報毎に編集することを特徴とする請求項１に記載の印刷装置。
【請求項４】
前記編集部は、前記変更要求受入部の受け入れ結果が、所定ページ目から所望ページ数の印刷データの修正であると、前記所定の記憶部が格納する印刷情報における、前記所定ページ目から前記所望ページ数の印刷データと、前記受信部から受け入れる所望ページ数の印刷データとを入れ替えて前記識別情報毎に編集することを特徴とする請求項１に記載の印刷装置。
【請求項５】
前記変更要求受入部は、印刷データの追加、又は修正を必要としないページについては、新たな印刷データの受け入れ前に印刷を先行させる先行印刷要求設定手段を更に備えることを特徴とする請求項１に記載の印刷装置。
【発明の詳細な説明】
【技術分野】
【０００１】
本発明は、印刷装置、特に、試し印刷といわれる機能を有する印刷装置に関するものである。
【背景技術】
【０００２】
通常の印刷では、文書を複数部印刷したい場合にそのまま指定部数を連続して印刷する。この場合には、印刷情報に何らかの間違いがあると、指定部数印刷した全ての用紙を無駄にすることになる。更に、間違いを修正した後、全ての印刷情報を再受信しなければならない。そこで、用紙の無駄を解消するために試し印刷が実行される。この試し印刷では、指定部数印刷する前に、まず１部のみ印刷し、その印刷情報をハードディスク等の記憶部に記憶する。印刷者が印刷結果を確認し、間違いが無ければ、ハードディスク等の記憶部に記憶する印刷情報に基づいて、残り部数を連続して印刷する。試し印刷された１部の中から修正個所が発見された場合には、修正部分を含む全ての印刷情報を再受信することになる。
【０００３】
かかる試し印刷では、用紙の無駄を解消することは出来るが、全ての印刷情報を再受信しなければ成らないという不都合は解消されていない。そこで、この不都合を解消するための印刷装置も公開されている（特許文献１参照）。この印刷装置では、間違いが有った場合に、既に、記憶部に格納されている印刷情報を印刷装置の内部で修正するか、又は、修正ページのみの印刷情報を差し替えることとし、印刷情報全ての再受信を不必要にしている。しかしながら、この印刷装置でも、文書にページ数等のページ情報を含む場合であって、新たにページを挿入、又は、削除するような変更が有った場合には、挿入、又は、削除したページ以降のページは全てページ数が変更になるので、結局印刷情報の再受信が必要になり、余分な再転送時間を必要としていた。
【特許文献１】特開２００２−１２７５７０号公報
【発明の開示】
【発明が解決しようとする課題】
【０００４】
解決しようとする問題点は、従来の試し印刷では、文書にページ数等のページ情報を含む場合であって、新たにページを追加、又は、削除するような変更が有った場合には、追加、又は、削除したページ以降のページは全てページ数が変更になるので、結局印刷情報の再受信が必要になり、余分な再転送時間を必要としていた点である。
【課題を解決するための手段】
【０００５】
本発明では、受信部が受信した印刷情報に試し印刷が指定されていると、上記印刷情報に含まれている識別情報と、印刷データと、ページ情報とを所定の部数分、各部毎に所定の記憶部に格納する展開書込・読出部と、ページ情報の追加、又は削除、又は修正の要求を受け入れる変更要求受入部と、該変更要求受入部の受け入れ結果に基づいて、上記印刷データと、上記ページ情報とを上記識別情報毎に再編集する編集部とを備えることを最も主要な特徴とする。
【発明の効果】
【０００６】
変更要求受入部と編集部を備えることにより、ページ番号等のページ情報を含む文書の試し印刷の結果、ページを追加、又は、削除するような変更が有ると、印刷者は、変更要求受入部を介して、削除ページ、又は、追加ページを設定し、追加の場合には追加ページのみの印刷情報を転送するだけで印刷することが可能になりデータ転送時間を短縮出来るという効果を得る。
【発明を実施するための最良の形態】
【０００７】
試し印刷判定部、展開書込・読出部、変更要求受入部の全てを、印刷装置の内部に備えるＣＰＵが、所定のプログラムを実行することによって起動するコンピュータ制御手段によって構成した。
【実施例１】
【０００８】
図１は、実施例１の印刷装置の構成を示すブロック図である。
図に示すように、実施例１の印刷装置は、受信部１と、試し印刷判定部２と、展開書込・読出部３と、記憶部４と、変更要求受入部５と、編集部６と、印刷部７と、制御部８とを備える。
【０００９】
受信部１は、制御部８の制御に基づいて、上位装置１０から図示しないインタフェースを介して印刷情報を受信する部分である。ここで、上位装置１０から転送されてくる印刷情報の構成について説明する。
図２は、印刷情報の構成図である。
図に示すように、印刷情報には、試し印刷を示す情報１０１と、文書番号を表す、識別情報１０２と、１ページ目ページ情報１０３と、１ページ目印刷データ１０４と、２ページ目ページ情報１０５と、２ページ目印刷データ１０６と、・・・以下、各ページ目のページ情報と、各ページ目の印刷データとが、最終ページまで含まれている。ここで、試し印刷を示す情報１０１には、この印刷情報に対する、試し印刷を実行するか否かの指示が含まれる。又、ページ情報とは、例えば文書のヘッダーやフッターで指定しているページ番号のことでである。
【００１０】
図１に戻って、試し印刷判定部２は、制御部８の制御に基づいて、受信部１が受信した印刷情報に試し印刷の実行が指定されているか否かを判定する部分である。この判定は、印刷情報の試し印刷を示す情報１０１（図２）を検索することによって実行される。
【００１１】
展開書込・読出部３は、制御部８の制御に基づいて、試し印刷判定部２の判定結果に基づいて、受信部１が受信した印刷情報に試し印刷の実行が指定されていると、識別情報毎に印刷情報に含まれている、印刷データと、ページ情報とを所定の部数分、各部毎に記憶部４に展開して格納する部分である。識別情報毎に、印刷データと、ページ情報とが所定の部数分、各部毎に記憶部４に展開されて格納されている状態について説明する。
【００１２】
図３は、記憶部に記憶される印刷情報のイメージ図である。
図に示すように識別情報毎に、印刷データと、ページ情報とが所定の部数分、各部毎に記憶部４に展開して記憶される。ここでは、同一識別番号の文書を４部印刷する場合の例であり、試し印刷の１部を除いて３部展開されている。尚、異なる識別番号の文書をも受信している場合には、図３の内容に加えて、異なる識別番号の文書毎に所定の部数分一緒に格納される。
【００１３】
図１に戻って、記憶部４は、試し印刷判定部２の判定結果に基づいて、展開書込・読出部３が、識別情報毎に印刷情報に含まれている印刷データと、ページ情報とを所定の部数分、各部毎に展開して格納するメモリである。通常、印刷装置に備えるハードディスクの一部の領域が割り当てられる。但し、制御部８の内部に備えるＲＡＭ（ランダムアクセスメモリ）のメモリ容量を大きく設定し、この一部の領域を用いても良い。
【００１４】
変更要求受入部５は、制御部８の制御に基づいて、ページ情報の追加、又は削除、又は修正の要求を印刷者から操作パネルを介して受け入れる部分である。変更要求受け入れ部の機能について説明する。
図４は、変更要求受け入れ部の説明図である。
（ａ）は、操作パネルの全体像の一例であり、（ｂ）は、印刷者が操作パネルを用いて印刷情報の変更要求を行っているときのパネル表示を表している。
（ａ）に示すように、２０１は、操作パネル（の全体像）であり、２０２は、ＬＣＤ等による表示部分であり、２０３は、モード設定及び識別情報の選択を行うメニューキーであり、２０４は、メニューの項目やページ番号を選択するためのセレクトキーであり、２０６は、選択決定を行う決定キーである。
【００１５】
（ｂ）を用いて、印刷者の要求設定の一例について、その概要を説明する。
印刷者は、最初にメニューキー２０３（２個の組合せ）を用いて識別番号を選択しメニューモード（タメシインサツヘンコウ）へ移行する。次にセレクトキー２０４（２個の組合せ）で選択項目（イレカエ、サクジョ、ツイカ）の何れかを選択し、セレクトキー２０４（３個の組合せ）で対象となるページ番号を選択し、追加の場合は、追加する枚数を選択する。最後に決定キー２０６を押下して変更要求を決定する。但し、変更要求が無い場合には、メニューキー２０３（２個の組合せ）によって変更無しを設定し、メニューモードへは移行しない。
【００１６】
図１に戻って、編集部６は、制御部８の制御に基づいて、変更要求受入部５の受け入れ結果に従って、印刷データと、ページ情報とを識別情報毎に再編集する部分である。変更要求受入部５を介して印刷者が要求している、（１）ページ削除、（２）ページ追加、（３）ページ入れ替え、（４）ページの増加を伴う修正、（５）ページの減少を伴う修正、それぞれの編集機能について、イメージ図を用いて順番に説明する。
【００１７】
図５は、ページ削除の時の印刷情報変更イメージ図である。
一例として５ページの印刷情報（ａ）から４ページ目を削除する場合について説明する。編集部６（図１）は、（ａ）に示すように、４ページ目ページ情報４０１と４ページ目印刷データ４０２とを削除する。更に、５ページ目ページ情報４０３から１減算する。その結果、（ｂ）に示すように１ページ目から３ページ目までは変更無し、４ページ目は、変更前４ページ目印刷データ（白三角の印刷データ）が削除され、変更前５ページ目印刷データ（黒丸の印刷データ）が繰り上げられ、４ページの印刷情報が再編集される。
【００１８】
図６は、ページ追加の時の印刷情報変更イメージ図である。
一例として５ページの印刷情報（ａ）に４ページ目と５ページ目の間に新たなぺージを追加する場合について説明する。編集部６（図１）は、（ｂ）に示すように、５ページ目ページ情報に１加算する。更に、受信部１（図１）から受け入れた新たな５ページ目ページ情報５０１と、５ページ目印刷データ５０２とを４ページ目と５ページ目との間に挿入する。その結果、（ｃ）に示すように１ページ目から４ページ目までは変更無し、５ページ目には、新たな５ページ目印刷データ（黒四角の印刷データ）が挿入され、変更前５ページ目印刷データ（黒丸の印刷データ）が６ページ目になり、１ページ追加されたことになる。
【００１９】
図７は、ページ入れ替え時の印刷情報変更イメージ図である。
一例として５ページの印刷情報（ａ）に於いて４ページ目を新たなページで入れ替える場合について説明する。編集部６（図１）は、（ｂ）に示すように、４ページ目ページ情報と４ページ目印刷データとを削除する。更に、受信部１（図１）から受け入れた新たな４ページ目ページ情報６０１と、４ページ目印刷データ６０２とを３ページ目と５ページ目との間に挿入する。その結果、（ｃ）に示すように１ページ目から３ページ目までは変更無し、４ページ目は、変更前４ページ目印刷データ（白三角の印刷データ）が新たな４ページ目印刷データ（黒四角印刷データ）で入れ替えられたことになる。
【００２０】
図８は、ページの増加を伴う修正の時の印刷情報変更イメージ図である。
一例として５ページの印刷情報（ａ）で４ページ目を新たな複数ページで入れ替える場合について説明する。編集部６（図１）は、（ｂ）に示すように、４ページ目ページ情報と４ページ目印刷データとを削除する。又、変更前５ページ目ページ情報に１加算する。更に、受信部１（図１）から受け入れた新たな４ページ目ページ情報７０１と、４ページ目印刷データ７０２、５ページ目ページ情報７０３と、５ページ目印刷データ７０４とを３ページ目と６ページ目との間に挿入する。その結果、（ｃ）に示すように１ページ目から３ページ目までは変更無し、４ページ目には、新たな４ページ目印刷データ（黒四角の印刷データ）が、５ページ目には、新たな５ページ目印刷データ（黒三角の印刷データ）が挿入され、ページ増加を伴う修正が実行されたことになる。
【００２１】
図９は、ページ修正の時にページの減少を伴う印刷情報変更イメージ図である。
一例として５ページの印刷情報（ａ）で３ページ目と４ページとを新たな単数ページで入れ替える場合について説明する。編集部６（図１）は、（ｂ）に示すように、３ページ目ページ情報と３ページ目印刷データと４ページ目ページ情報と４ページ目印刷データとを削除する。又、変更前５ページ目ページ情報を１減算する。更に、受信部１（図１）から受け入れた新たな３ページ目ページ情報８０１と、３ページ目印刷データ８０２とを２ページ目と４ページ目との間に挿入する。その結果、（ｃ）に示すように１ページ目から２ページ目までは変更無し、３ページ目には、新たな３ページ目印刷データ（黒三角＋黒四角＋白丸＋白三角＋白四角）が挿入され、ページ減少を伴う修正が実行されたことになる。
【００２２】
図１に戻って、印刷部７は、制御部８の制御に基づいて、記憶部４に格納されている印刷データを印刷して出力するプリントエンジンである。
制御部８は、その内部にＣＰＵ（中央演算制御装置）と、ＣＰＵが実行するプログラムを予め格納するＲＯＭ（リードオンリーメモリ）と、ＣＰＵが演算処理に用いるＲＡＭ（ランダムアクセスメモリ）とを含み、印刷装置全体を制御する部分である。更に、通常の印刷制御（説明を省略する）の他に、本実施例では特に、所定のプログラムを実行することによって、上記、試し印刷判定部２と、展開書込・読出部３と、変更要求受入部５と、編集部６とを起動する部分である。
【００２３】
次に実施例１の印刷装置の動作について、フローチャートを用いて説明する。
図１０は、実施例１における印刷装置の動作を示すフローチャートである。
図のステップＳ１−１からステップＳ１−１４まで、ステップ順に実施例１における印刷装置の動作を説明する。
【００２４】
ステップＳ１−１
受信部１（図１）が、上位装置１０から、図示していないインタフェースを介して印刷情報（図２）を受け入れる。ここでは、文書番号（識別番号）の異なる複数の文書を連続して受け入れる場合も想定される。
【００２５】
ステップＳ１−２
試し印刷判定部２（図１）は、試し印刷を示す情報１０１（図２）に基づいて、受け入れた印刷情報について、試し印刷が求められているか否かを判定し（複数の文書の場合には識別番号毎に）、試し印刷が求められていない場合にはステップＳ１−３へ進み、試し印刷が求められている場合にはステップＳ１−４へ進む。
【００２６】
ステップＳ１−３
制御部８（図１）は、印刷部７（図１）を制御して通常の印刷を実行させてフローを終了する。
【００２７】
ステップＳ１−４
制御部８（図１）は、印刷部７（図１）を制御して印刷情報を１部のみ印刷を実行させる。同時に、展開書込・読出部３（図１）は、残り部数を記憶部４に展開して格納する。既に説明した図３にその一例が示されている。複数の文書の場合には識別番号毎に格納する。
【００２８】
ステップＳ１−５
変更要求受入部５は、印刷者による、試し印刷出力の検査、及び、印刷情報への対応を待って待機する。
ステップＳ１−６
変更要求受入部５（図１）は、操作パネル２０１（図４）を介して、印刷者が試し印刷出力の検査を実行している識別番号を受け入れる。
【００２９】
ステップＳ１−７
変更要求受入部５（図１）は、操作パネル２０１（図４）を介して、印刷者から変更無しの決定を受け入れた場合にはステップＳ１−１４へ跳び、変更要求を受け入れた場合にはステップＳ１−８へ進む。
ステップＳ１−８
変更要求がページの追加又は削除の場合にはステップＳ１−９へ進み、修正の場合にはステップＳ１−１３へ進む。
【００３０】
ステップＳ１−９
編集部６（図１）は、印刷情報のページ情報を編集する、即ち、所定ページ目に所望ページ数の追加であると、記憶部４（図１）が格納する印刷情報における、所定ページ目以降のページ情報に所望ページ数加算し、所定ページ目から所望ページ数の削除であると、記憶部４（図１）が格納する印刷情報における、所定ページ目以降のページ情報から所望ページ数を減算する（図６又は図５）。
【００３１】
ステップＳ１−１０
ページの追加の場合にはステップＳ１−１１へ進み、ページの削除の場合にはステップＳ１−１４へ跳ぶ。
【００３２】
ステップＳ１−１１
編集部６（図１）は、上位装置１０（図１）から受信部１（図１）を介して追加すべき新たなページの印刷情報の受け入れを待って待機する。
【００３３】
ステップＳ１−１２
編集部６（図１）は、新たなページの印刷情報を受け入れると、該当するページに挿入する（図６、又は図８）。
ステップＳ１−１３
ページの増減がある場合にはステップＳ１−９へ進み、ページの増減が無い場合にはステップＳ１−１１へ進む。
ステップＳ１−１４
制御部８（図１）は、印刷部７（図１）を制御して１部印刷させる。
【００３４】
ステップＳ１−１５
編集部６（図１）は、変更結果を記憶部４（図１）に展開されている同一識別番号の残り全ての印刷情報について変更してフローを終了する。
【００３５】
以上説明したように、変更要求受入部と編集部を備えることにより、ページ数等のページ情報を含む文書の試し印刷の結果、ページを追加、又は、削除するような変更が有った場合に於いても、印刷者は、変更要求受入部を介して、削除の場合には削除ページを設定するだけで、追加の場合には追加ページを設定し、追加ページのみの印刷情報を転送するだけで印刷が可能になりデータ転送時間を短縮出来るという効果を得る。
【実施例２】
【００３６】
実施例１では、印刷者が印刷データの変更を要求すると、上位装置から受信部を介して新たな印刷データを受け入れて、全ページの編集が終了した後に印刷が実行された。従って、新たな印刷データの受け入れを完了するまで、変更を必要としていないページまで、印刷を遅延させるという無駄が発生していた。実施例２では、このような場合に、印刷データの追加、又は修正を必要としないページについては、新たな印刷データの受け入れ前に印刷を先行させることとする。
【００３７】
図１１は、実施例２の印刷装置の構成を示すブロック図である。
図に示すように、実施例２の印刷装置は、受信部１と、試し印刷判定部２と、展開書込・読出部３と、記憶部４と、変更要求受入部１５と、編集部６と、印刷部７と、制御部１８とを備える。以下に、実施例１との相違部分のみについて詳細に説明する。実施例１と同一の部分については、同一の符合を付して説明を省略する。
【００３８】
変更要求受入部１５は、制御部１８の制御に基づいて、ページ情報の追加、又は削除、又は修正の要求を印刷者から操作パネルを介して受け入れる部分である。更に、本実施例では、先行印刷要求設定手段１５−１が追加される。先行印刷要求設定手段１５−１は、印刷者が、印刷データの追加、又は修正を必要としないページについては、新たな印刷データの受け入れ前に印刷を先行させる旨の要求を受け入れて印刷部を稼働させる手段である。
【００３９】
先行印刷要求設定手段１５−１の機能について説明する。
図１２は、先行印刷要求設定手段の説明図である。
（ａ）は、操作パネルの全体像の一例であり、（ｂ）は、印刷者が操作パネルを用いて印刷情報の変更要求を行っているときのパネル表示を表している。
（ａ）に示すように、２０１は、操作パネル（の全体像）であり、２０２は、ＬＣＤ等による表示部分であり、２０３は、モード設定及び識別情報の選択を行うメニューキーであり、２０４は、メニューの項目やページ番号を選択するためのセレクトキーであり、４０６は、選択決定を行う決定キーである。
【００４０】
（ｂ）を用いて、印刷者の要求設定の一例についてその概要を説明する。
印刷者は、最初にメニューキー２０３（２個の組合せ）を用いて識別番号を選択しメニューモード（タメシインサツヘンコウ）へ移行する。次にセレクトキー２０４（２個の組合せ）で選択項目（イレカエ、サクジョ、ツイカ）の何れかを選択し、セレクトキー２０４（３個の組合せ）で対象となるページ番号を選択し、追加の場合は、追加する枚数を選択し、先行印刷を設定する。最後に決定キー２０６を押下して変更要求を決定することになる。但し、変更要求が無い場合には、メニューキー２０３（２個の組合せ）によって変更無しを設定し、メニューモードへは移行しない。
【００４１】
図１１に戻って、制御部１８は、その内部にＣＰＵ（中央演算制御装置）と、ＣＰＵが実行するプログラムを予め格納するＲＯＭ（リードオンリーメモリ）と、ＣＰＵが演算処理に用いるＲＡＭ（ランダムアクセスメモリ）とを含み、印刷装置全体を制御する部分である。更に、通常の印刷制御（説明を省略する）の他に、本実施例では特に、所定のプログラムを実行することによって、上記、試し印刷判定部２と、展開書込・読出部３と、変更要求受入部１５（先行印刷要求設定手段１５−１を含む）と、編集部６とを起動する部分である。
【００４２】
次に実施例２の印刷装置の動作について、フローチャートを用いて説明する。
図１３は、実施例２における印刷装置の動作を示すフローチャート（その１）である。
図１４は、実施例２における印刷装置の動作を示すフローチャート（その２）である。
図のステップＳ２−１からステップＳ２−２５まで、ステップ順に実施例２における印刷装置の動作を説明する。
【００４３】
ステップＳ２−１
受信部１（図１１）が、上位装置１０から、図示していないインタフェースを介して印刷情報（図２）を受け入れる。ここでは、文書番号（識別番号）の異なる複数の文書を連続して受け入れる場合も想定される。
【００４４】
ステップＳ２−２
試し印刷判定部２（図１１）は、試し印刷を示す情報１０１（図２）に基づいて、受け入れた印刷情報について、試し印刷が求められているか否かを判定し（複数の文書の場合には識別番号毎に）、試し印刷が求められていない場合にはステップＳ２−３へ進み、試し印刷が求められている場合にはステップＳ２−４へ進む。
【００４５】
ステップＳ２−３
制御部１８（図１１）は、印刷部７（図１１）を制御して通常の印刷を実行させてフローを終了する。
【００４６】
ステップＳ２−４
制御部１８（図１１）は、印刷部７（図１１）を制御して印刷情報を１部のみ印刷を実行させる。同時に、展開書込・読出部３（図１１）は、残り部数を記憶部４に展開して格納する。既に説明した図３にその一例が示されている。複数の文書の場合には識別番号毎に格納する。
【００４７】
ステップＳ２−５
変更要求受入部５は、印刷者による、試し印刷出力の検査、及び、印刷情報への対応を待って待機する。
ステップＳ２−６
変更要求受入部５（図１１）は、操作パネル２０１（図１２）を介して、印刷者が試し印刷出力の検査を実行している識別番号を受け入れる。
【００４８】
ステップＳ２−７
変更要求受入部５（図１１）は、操作パネル２０１（図１２）を介して、印刷者から変更無しの決定を受け入れた場合にはステップＳ２−２４へ跳び、変更要求を受け入れた場合にはステップＳ２−８へ進む。
【００４９】
ステップＳ２−８
変更要求がページの追加又は削除の場合にはステップＳ２−９へ進み、修正の場合にはステップＳ２−１８へ進む。
【００５０】
ステップＳ２−９
編集部６（図１１）は、印刷情報のページ情報を編集する、即ち、所定ページ目に所望ページ数の追加であると、記憶部４（図１１）が格納する印刷情報における、所定ページ目以降のページ情報に所望ページ数を加算し、所定ページ目から所望ページ数の削除であると、記憶部４（図１１）が格納する印刷情報における、所定ページ目以降のページ情報から所望ページを減算する（図６又は図５）。
【００５１】
ステップＳ２−１０
ページの追加の場合にはステップＳ２−１１へ進み、ページの削除の場合にはステップＳ２−２４へ跳ぶ。
【００５２】
ステップＳ２−１１
先行印刷要求設定手段１５−１（図１１）は、印刷者から印刷データの追加、又は修正を必要としないページについては、新たな印刷データの受け入れ前に印刷を先行させることが要求されている場合にはステップＳ２−１３へ進み、要求されていない場合にはステップＳ２−１２へ進む。
【００５３】
ステップＳ２−１２
編集部６（図１１）は、上位装置１０（図１１）から受信部１（図１１）を介して追加すべき新たなページの印刷情報の受け入れを待って待機する。
【００５４】
ステップＳ２−１３
編集部６（図１１）は、新たなページの印刷情報を受け入れると、該当するページに挿入する（図６、又は図８）。
【００５５】
ステップＳ２−１４
先行印刷要求設定手段１５−１（図１１）は、印刷部７（図１１）を稼働させて、印刷データの追加、又は修正を必要としないページについて印刷させる。
【００５６】
ステップＳ２−１５
編集部６（図１１）は、上位装置１０（図１１）から受信部１（図１１）を介して追加すべき新たなページの印刷情報の受け入れを待って待機する。
【００５７】
ステップＳ２−１６
編集部６（図１１）は、新たなページの印刷情報を受け入れると、該当するページに挿入する（図６、又は図８）。
【００５８】
ステップＳ２−１７
制御部１８（図１１）は、印刷部７（図１１）を制御して追加ページを印刷させて、ステップＳ２−２５へ進む。
【００５９】
ステップＳ２−１８
ページの増減がある場合にはステップＳ２−９へ進み、ページの増減が無い場合にはステップＳ２−１９へ進む。
【００６０】
ステップＳ２−１９
先行印刷要求設定手段１５−１（図１１）は、印刷者から印刷データの修正を必要としないページについては、新たな印刷データの受け入れ前に印刷を先行させることを要求されている場合にはステップＳ２−２０へ進み、要求されていない場合にはステップＳ２−１２へ進む。
【００６１】
ステップＳ２−２０
先行印刷要求設定手段１５−１（図１１）は、印刷部７（図１１）を稼働させて、印刷データの修正を必要としないページについて印刷させる。
【００６２】
ステップＳ２−２１
編集部６（図１１）は、上位装置１０（図１１）から受信部１（図１１）を介して修正すべき新たなページの印刷情報の受け入れを待って待機する。
【００６３】
ステップＳ２−２２
編集部６（図１１）は、新たなページの印刷情報を受け入れると、該当するページに入れ替える（図７）。
【００６４】
ステップＳ２−２３
制御部１８（図１１）は、印刷部７（図１１）を制御して修正ページを印刷させて、ステップＳ２−２５へ進む。
ステップＳ２−２４
制御部１８（図１１）は、印刷部７（図１１）を制御して１部印刷させる。
【００６５】
ステップＳ２−２５
編集部６（図１１）は、変更結果を記憶部４（図１１）に展開されている同一識別番号の残り全ての印刷情報について変更してフローを終了する。
【００６６】
以上説明したように、本実施例によれば、先行印刷要求設定手段１５−１（図１１）を設けたので、試し印刷の結果、追加、修正が発生した場合には、新たなデータを受信する前に、追加、修正を必要としないページを印刷することが出来るようになる。結果として修正、又は、追加のデータを受け入れたときには、修正、追加のページを印刷するだけでよく、最終的な印刷終了時間を速くすることが出来るという効果を得る。
【産業上の利用可能性】
【００６７】
以上の説明では、試し印刷判定部、展開書込・読出部、変更要求受入部の全てを、印刷装置の内部に備えるＣＰＵが、所定のプログラムを実行することによって起動するコンピュータ制御手段として説明したが、本発明は、この例に限定されるものではない。即ち、上記部分の全部、又は一部を専用の電子回路で構成した印刷装置にも本発明を適用することが出来る。
【図面の簡単な説明】
【００６８】
【図１】実施例１の印刷装置の構成を示すブロック図である。
【図２】印刷情報の構成図である。
【図３】記憶部に記憶される印刷情報のイメージ図である。
【図４】変更要求受け入れ部の説明図である。
【図５】ページ削除の時の印刷情報変更イメージ図である。
【図６】ページ追加の時の印刷情報変更イメージ図である。
【図７】ページ入れ替え時の印刷情報変更イメージ図である。
【図８】ページの増加を伴う修正の時の印刷情報変更イメージ図である。
【図９】ページ修正の時にページの減少を伴う印刷情報変更イメージ図である。
【図１０】実施例１における印刷装置の動作を示すフローチャートである。
【図１１】実施例２の印刷装置の構成を示すブロック図である。
【図１２】先行印刷要求設定手段の説明図である。
【図１３】実施例２における印刷装置の動作を示すフローチャート（その１）である。
【図１４】実施例２における印刷装置の動作を示すフローチャート（その２）である。
【符号の説明】
【００６９】
１    受信部
２    試し印刷判定部
３    展開書込・読出部
４    記憶部
５    変更要求受入部
６    編集部
７    印刷部
８    制御部
１０    上位装置
【図１】
2006231598.tif 000003
【図２】
2006231598.tif 000004
【図３】
2006231598.tif 000005
【図４】
2006231598.tif 000006
【図５】
2006231598.tif 000007
【図６】
2006231598.tif 000008
【図７】
2006231598.tif 000009
【図８】
2006231598.tif 000010
【図９】
2006231598.tif 000011
【図１０】
2006231598.tif 000012
【図１１】
2006231598.tif 000013
【図１２】
2006231598.tif 000014
【図１３】
2006231598.tif 000015
【図１４】
2006231598.tif 000016